【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
直流電源の電圧を昇圧する昇圧電源回路と、この昇圧電源回路によって昇圧された電圧を降圧する降圧電源回路と、この降圧電源回路の出力電圧によって動作し、前記昇圧電源回路からの出力電圧を動作電圧とする機器の制御を行う制御回路とを備えた直流電源装置であって、
第１のクロックを発生する第１のクロック回路と、
前記昇圧電源回路への電源供給が始められてから所定時間の間、前記制御回路の動作を停止させる管理回路、及び、
前記制御回路によって第２のクロックの発生が抑制される第２のクロック回路を備え、
前記昇圧電源回路の昇圧制御を、前記管理回路によって前記制御回路が停止させられている間は前記第１のクロックによって動作させ、前記制御回路が動作を始めた後は前記第２のクロックによって動作させることを特徴とする直流電源装置。
【請求項２】
直流電源の電圧を昇圧するクロック動作の昇圧電源回路と、この昇圧電源回路によって昇圧された電圧を降圧する第１の降圧電源回路と、この降圧電源回路の出力を更に降圧する第２の降圧電源回路と、この第２の降圧電源回路の出力電圧によって動作し、前記昇圧電源回路からの電圧が動作電圧として入力される機器の制御を行う制御回路とを備えた直流電源装置において、
電源スイッチのオン時に第１のクロックを発生する第１のクロック回路と、
前記電源スイッチのオンの後に前記第２の降圧電源回路から供給される出力電圧で動作し、動作後の所定時間だけ前記制御回路の動作を停止させる管理回路と、
前記制御回路の動作時に水晶発振子の振動に基づく第２のクロックを発生する第２のクロック回路、及び
第１と第２の入力端子がそれぞれ前記第１と第２のクロック回路に接続されると共に、出力端子が前記昇圧電源回路に接続され、前記電源スイッチのオンにより前記第１の入力端子を前記出力端子に接続し、前記管理回路からの切換信号により前記第２の入力端子を前記出力端子に接続する切換スイッチを設けたことを特徴とする直流電源装置。
【請求項３】
請求項２に記載の直流電源装置であって、前記管理回路は、前記所定時間の経過後に前記切換スイッチに切換信号を送出することを特徴とする直流電源装置。
【請求項４】
請求項３に記載の直流電源装置であって、前記所定時間は、前記電源スイッチのオンの後に、前記昇圧電源回路の出力電圧が立ち上がる迄の時間以上の時間であることを特徴とする直流電源装置。
【請求項５】
請求項４に記載の直流電源装置であって、前記管理回路は、前記第２の降圧電源回路の異常状態を検出した時には、前記制御回路の動作を停止させることを特徴とする直流電源装置。
【請求項６】
請求項１から５の何れか１項に記載の直流電源装置であって、前記第１のクロック回路は、前記直流電源の出力で動作する別電源によって動作させることを特徴とする直流電源装置。
【請求項７】
請求項１から６の何れか１項に記載の直流電源装置であって、前記昇圧電源回路は自己の出力電圧を監視し、出力電圧の過度の上昇を検出した時には昇圧動作を停止することを特徴とする直流電源装置。
【請求項８】
点火装置に電力を供給する直流電源装置を備えたエアバッグ装置において、
前記直流電源装置は、直流電源の電圧を昇圧する昇圧電源回路と、この昇圧電源回路によって昇圧された電圧を降圧する降圧電源回路と、この降圧電源回路の出力電圧によって動作し、前記昇圧電源回路からの出力電圧を動作電圧とする機器の制御を行う制御回路とを備え、更に、
第１のクロックを発生する第１のクロック回路と、
前記昇圧電源回路への電源供給が始められてから所定時間の間、前記制御回路の動作を停止させる管理回路、及び、
前記制御回路によって第２のクロックの発生が抑制される第２のクロック回路を備え、
前記昇圧電源回路の昇圧制御を、前記管理回路によって前記制御回路が停止させられている間は前記第１のクロックによって動作させ、前記制御回路が動作を始めた後は前記第２のクロックによって動作させる直流電源装置を備えることを特徴とするエアバッグ装置。
【請求項９】
点火装置に電力を供給する直流電源装置を備えたエアバッグ装置において、
前記直流電源装置は、直流電源の電圧を昇圧するクロック動作の昇圧電源回路と、この昇圧電源回路によって昇圧された電圧を降圧する第１の降圧電源回路と、この降圧電源回路の出力を更に降圧する第２の降圧電源回路と、この第２の降圧電源回路の出力電圧によって動作し、前記昇圧電源回路からの電圧が動作電圧として入力される機器の制御を行う制御回路とを備え、更に、
電源スイッチのオン時に第１のクロックを発生する第１のクロック回路と、
前記電源スイッチのオンの後に前記第２の降圧電源回路から供給される出力電圧で動作し、動作後の所定時間だけ前記制御回路の動作を停止させる管理回路と、
前記制御回路の動作時に水晶発振子の振動に基づく第２のクロックを発生する第２のクロック回路、及び
第１と第２の入力端子がそれぞれ前記第１と第２のクロック回路に接続されると共に、出力端子が前記昇圧電源回路に接続され、前記電源スイッチのオンにより前記第１の入力端子を前記出力端子に接続し、前記管理回路からの切換信号により前記第２の入力端子を前記出力端子に接続する切換スイッチを設けた直流電源装置を備えることを特徴とするエアバッグ装置。
【手続補正２】
【補正対象書類名】明細書
【補正対象項目名】発明の名称
【補正方法】変更
【補正の内容】
【発明の名称】直流電源装置及び直流電源装置を備えたエアバッグ装置
【手続補正３】
【補正対象書類名】明細書
【補正対象項目名】０００１
【補正方法】変更
【補正の内容】
【０００１】
本発明は直流電源装置及び直流電源装置を備えたエアバッグ装置に関し、特に、動作電圧が高い機器を駆動するために直流電源の電圧を昇圧する昇圧電源回路と、この機器の動作を制御する制御回路とが備えられた直流電源装置において、電源オン時の昇圧電源回路の安全性を向上させた直流電源装置及びこの直流電源装置を備えたエアバッグ装置に関する。
【手続補正４】
【補正対象書類名】明細書
【補正対象項目名】００１１
【補正方法】変更
【補正の内容】
【００１１】
そこで、本発明は、昇圧電源回路、降圧電源回路、シリーズ電源回路、及びマイクロコンピュータが直列に接続された直流電源回路及びこの直流電源装置を備えたエアバッグ装置において、昇圧電源回路が完全に立ち上がるまではマイクロコンピュータが動作開始しないようにして、昇圧電源の出力負荷を減らして構成部品の小型化すると共に、立ち上がり時間を短縮することを目的としている。
【手続補正５】
【補正対象書類名】明細書
【補正対象項目名】００１３
【補正方法】変更
【補正の内容】
【００１３】
前記目的を達成する本発明は、以下の第１から第９の形態が可能である。
【手続補正６】
【補正対象書類名】明細書
【補正対象項目名】００１６
【補正方法】変更
【補正の内容】
【００１６】
第３の形態は、第２の形態の直流電源装置において、管理回路が、所定時間の経過後に切換スイッチに切換信号を送出することを特徴としている。第４の形態は、第２の形態の直流電源装置において、所定時間が、電源スイッチのオンの後に、昇圧電源回路の出力電圧が立ち上がる迄の時間以上の時間であることを特徴としている。
【手続補正７】
【補正対象書類名】明細書
【補正対象項目名】００１７
【補正方法】変更
【補正の内容】
【００１７】
第５の形態は、第４の形態の直流電源装置において、管理回路が、第２の降圧電源回路の異常状態を検出した時には、制御回路の動作を停止させることを特徴としている。第６の形態は、第１から第５の形態の直流電源装置において、第１のクロック回路が、直流電源の出力で動作する別電源によって動作することを特徴としている。
【手続補正８】
【補正対象書類名】明細書
【補正対象項目名】００１８
【補正方法】変更
【補正の内容】
【００１８】
第７の形態は、第１から第６の形態の直流電源装置において、昇圧電源回路が自己の出力電圧を監視し、出力電圧の過度の上昇を検出した時には昇圧動作を停止することを特徴としている。
【手続補正９】
【補正対象書類名】明細書
【補正対象項目名】００１９
【補正方法】変更
【補正の内容】
【００１９】
第８の形態は、点火装置に電力を供給する直流電源装置を備えたエアバッグ装置において、直流電源装置は、直流電源の電圧を昇圧する昇圧電源回路と、この昇圧電源回路によって昇圧された電圧を降圧する降圧電源回路と、この降圧電源回路の出力電圧によって動作し、昇圧電源回路からの出力電圧を動作電圧とする機器の制御を行う制御回路とを備え、更に、第１のクロックを発生する第１のクロック回路と、昇圧電源回路への電源供給が始められてから所定時間の間、制御回路の動作を停止させる管理回路、及び、制御回路によって第２のクロックの発生が抑制される第２のクロック回路を備え、昇圧電源回路の昇圧制御を、管理回路によって制御回路が停止させられている間は第１のクロックによって動作させ、制御回路が動作を始めた後は第２のクロックによって動作させる直流電源装置をエアバッグ装置が備えることを特徴としている。
【手続補正１０】
【補正対象書類名】明細書
【補正対象項目名】００２０
【補正方法】変更
【補正の内容】
【００２０】
第９の形態は、点火装置に電力を供給する直流電源装置を備えたエアバッグ装置において、直流電源装置は、直流電源の電圧を昇圧するクロック動作の昇圧電源回路と、この昇圧電源回路によって昇圧された電圧を降圧する第１の降圧電源回路と、この降圧電源回路の出力を更に降圧する第２の降圧電源回路と、この第２の降圧電源回路の出力電圧によって動作し、昇圧電源回路からの電圧が動作電圧として入力される機器の制御を行う制御回路とを備え、更に、電源スイッチのオン時に第１のクロックを発生する第１のクロック回路と、電源スイッチのオンの後に第２の降圧電源回路から供給される出力電圧で動作し、動作後の所定時間だけ制御回路の動作を停止させる管理回路と、制御回路の動作時に水晶発振子の振動に基づく第２のクロックを発生する第２のクロック回路、及び第１と第２の入力端子がそれぞれ第１と第２のクロック回路に接続されると共に、出力端子が昇圧電源回路に接続され、電源スイッチのオンにより第１の入力端子を出力端子に接続し、管理回路からの切換信号により第２の入力端子を出力端子に接続する切換スイッチを設けた直流電源装置をエアバッグ装置が備えることを特徴としている。
【手続補正１１】
【補正対象書類名】明細書
【補正対象項目名】００２１
【補正方法】変更
【補正の内容】
【００２１】
本発明によれば、昇圧電源回路、降圧電源回路、シリーズ電源回路、及びマイクロコンピュータが直列に接続された直流電源回路及びこの直流電源装置を備えたエアバッグ装置において、昇圧電源回路が完全に立ち上がるまではマイクロコンピュータが動作開始しないので、電源のオンの直後に昇圧電源回路に過大な負荷がかかることがなくなり、昇圧電源回路として容量の小さなものを用いることができる。また、マイクロコンピュータが動作するまでは昇圧電源回路と降圧電源回路とを第１のクロックで動作させ、マイクロコンピュータが動作開始した後は昇圧電源回路をマイクロコンピュータが生成した第２のクロックで動作させるようにしたので、昇圧電源回路の立ち上がり後は、昇圧電源回路の動作精度を向上させることができる。